(57)【要約】【課題】出窓において剪断荷重に対する強度の確保と天板のがたつきの防止とを図るとともに、容易に天板の取付位置精度を高められるようにする。【解決手段】出窓は、ＡＬＣ袖壁パネル１と天板２０とサッシ枠とを含む。ＡＬＣ袖壁パネル１に埋設された補強鉄筋４に緊結された埋設アンカー８に、溶接プレート部１６とその裏面から突出する埋め込み螺合部１７とからなる溶接ベース金物１５の該埋め込み螺合部１７が螺合して、該溶接プレート部１６がＡＬＣ袖壁パネル１の出窓空間に面する側の第一パネル壁面２に添っており、溶接プレート部１６に、天板２０の側端部を支持するための取付金具の一つとしての鋼材２５が位置調整されて溶接固定されている。【選択図】図７
2007247380.tif 000002
【特許請求の範囲】
【請求項１】
パネル幅方向を室内外方向にして建て込まれ袖壁を構成するＡＬＣ袖壁パネル（１）と、前記ＡＬＣ袖壁パネル（１）に取り付けられた天板（２０）と、前記ＡＬＣ袖壁パネル（１）と前記天板（２０）とで構成される出窓空間の室外側端部に設けられたサッシ枠（３０）とを含む出窓において、
前記ＡＬＣ袖壁パネル（１）に埋設された補強鉄筋（４）に緊結された埋設アンカー（８）に、溶接プレート部（１６）とその裏面から突出する埋め込み螺合部（１７）とからなる溶接ベース金物（１５）の該埋め込み螺合部（１７）が螺合して、該溶接プレート部（１６）が前記ＡＬＣ袖壁パネル（１）の出窓空間に面する側の第一パネル壁面（２）に添っており、
前記溶接プレート部（１６）に、前記天板（２０）の側端部を支持するための取付金具（２５）が位置調整されて溶接固定されていることを特徴とする出窓。
【請求項２】
前記埋設アンカー（８）は、前記補強鉄筋（４）に緊結される台座部（９）と、前記溶接ベース金物（１５）の埋め込み螺合部（１７）と螺合する螺合部（１０）とを備え、前記台座部（９）は２本以上の補強鉄筋（４）に緊結されたものである請求項１記載の出窓。
【請求項３】
前記埋設アンカー（８）は、前記補強鉄筋（４）に緊結される台座部（９）と、前記溶接ベース金物（１５）の埋め込み螺合部（１７）と螺合する螺合部（１０）とを備え、前記台座部（９）の、前記ＡＬＣ袖壁パネル（１）の出窓空間とは反対側の第二パネル壁面（３）からのかぶり寸法が５ｍｍ以上である請求項１又は２記載の出窓。
【請求項４】
前記ＡＬＣ袖壁パネル（１）の出窓空間に面する側の第一パネル壁面（２）に設けられた座掘部（１８）に前記溶接プレート部（１６）が収納されて、前記溶接プレート部（１６）の溶接面と前記ＡＬＣ袖壁パネル（１）の出窓空間に面する側の第一パネル壁面（２）の一般部とが略同一面となっている請求項１、２又は３記載の出窓。
【請求項５】
前記出窓は、前記天板（２０）の室内側端部の下方に左右に並設され腰壁（５０、６０、７０）を構成する複数の腰壁パネル（４１）をも含むものであって、
前記腰壁パネル（４１）の上端を前記天板（２０）に固定する上部固定金具（５１、６１、７１）は、直に又は連結部材（５６、７６）を介して前記取付金具（２５）に溶接固定され、取付部材（５５、６５、７５）を介して該腰壁パネル（４１）の上部埋設アンカー（４２）に係止されており、
前記腰壁パネル（４１）の下端を床面（１３）に固定する下部固定金具（４６）は、一片が該腰壁パネル（４１）の短辺小口面と床面（１３）とに挟持され、他片がイナズマプレート（４９）を介して該腰壁パネル（４１）の下部埋設アンカー（４３）に係止されていることを特徴とする請求項１〜４のいずれか一項に記載の出窓。
【請求項６】
前記上部固定金具（５１）が連結部材（５６）を介して前記取付金具（２５）に溶接固定され、該上部固定金具（５１）の一片が前記腰壁パネル（４１）の短辺小口面と前記天板（２０）の下面との間に位置し、前記取付部材が平プレート（５５）である請求項５記載の出窓。
【請求項７】
前記上部固定金具（６１）が直に前記取付金具（２５）に溶接固定され、該上部固定金具（６１）の一片が前記天板（２０）の上面に当接し、前記取付部材がイナズマプレート（６５）である請求項５記載の出窓。
【請求項８】
前記上部固定金具（７１）が連結部材（７６）を介して前記取付金具（２５）に溶接固定され、該上部固定金具（７１）の一片が前記腰壁パネル（４１）の短辺小口面と前記天板（２０）の下面との間に位置し、前記取付部材がイナズマプレート（７５）である請求項５記載の出窓。
【請求項９】
前記出窓は、前記天板（２０）の室内側端部の下方に上下に並設され腰壁（８０）を構成する複数の腰壁パネル（４０）をも含むものであって、
前記腰壁パネル（４０）の両側端を前記ＡＬＣ袖壁パネル（１）に固定する側部固定金具（８１）は、一片が該腰壁パネル（４０）の短辺小口面と該ＡＬＣ袖壁パネル（１）の出窓空間に面する側の第一パネル壁面（２）との間に位置し、他片が該腰壁パネル（４０）の室内側壁面に当接し、上端が前記取付金具（２５）に溶接固定され、イナズマプレート（８５）を介して該腰壁パネル（４０）の側端埋設アンカー（４５）に係止されていることを特徴とする請求項１〜４のいずれか一項に記載の出窓。
【請求項１０】
前記出窓は、前記天板（２０）の室内側端部の下方に上下に並設され腰壁（９０）を構成する複数の腰壁パネル（４０）をも含むものであって、
前記腰壁パネル（４０）の両側端を前記ＡＬＣ袖壁パネル（１）に固定する側部固定金具（９１）は、一片が該腰壁パネル（４０）の短辺小口面と該ＡＬＣ袖壁パネル（１）の出窓空間に面する側の第一パネル壁面（２）との間に位置し、他片が該ＡＬＣ袖壁パネル（１）の長辺小口面に当接し、上端が前記取付金具（２５）に溶接固定され、イナズマプレート（９５）を介して該腰壁パネル（４０）の側端埋設アンカー（４５）に係止されていることを特徴とする請求項１〜４のいずれか一項に記載の出窓。
【請求項１１】
ＡＬＣ袖壁パネル（１）をそのパネル幅方向を室内外方向にして建て込み、
前記ＡＬＣ袖壁パネル（１）に埋設された補強鉄筋（４）に緊結された埋設アンカー（８）に、溶接プレート部（１６）とその裏面から突出する埋め込み螺合部（１７）とからなる溶接ベース金物（１５）の該埋め込み螺合部（１７）を螺合して、該溶接プレート部（１６）をＡＬＣ袖壁パネル（１）の出窓空間に面する側の第一パネル壁面（２）に添わせ、
前記溶接プレート部（１６）に、前記天板（２０）の側端部を支持するための取付金具（２５）を位置調整して溶接固定し、
前記ＡＬＣ袖壁パネル（１）と前記天板（２０）とで構成される出窓空間の室外側端部にサッシ枠（３０）を設けることを特徴とする出窓の構築方法。
【発明の詳細な説明】
【技術分野】
【０００１】
本発明は、ＡＬＣ（軽量気泡コンクリート）袖壁パネルに天板を取り付けた出窓とその構築方法に関する。
【背景技術】
【０００２】
ＡＬＣパネルを使用して出窓を形成する構造として、パネル幅方向を室内外方向にして建て込まれ縦壁（袖壁）を構成するＡＬＣ袖壁パネルと、ＡＬＣ袖壁パネルの例えば腰ないし胸の高さに対応する所定高さ位置に取り付けられた天板と、ＡＬＣ袖壁パネルと天板とで構成される出窓空間の室外側端部に設けられたサッシ枠とを含む構造が知られている（特許文献１及び２）。この種の出窓構造においては、サッシ枠の高さ寸法に対応するＡＬＣ袖壁パネルの所定高さ位置に、天板が精度良く取り付けられる必要がある。
【０００３】
このＡＬＣ袖壁パネルへの天板の取付構造につき、特許文献１では、ＡＬＣ袖壁パネルの所定高さ位置に貫通穴が開けられ、該貫通穴を貫通する縫いボルトにより山形鋼の縦辺が固定され、該山形鋼の横片に対し天板が該天板を貫通する縫いボルトにより吊り下げられるような状態で取り付けられた構造をとる。
【０００４】
また、特許文献２では、（１）ＡＬＣ袖壁パネルの所定高さ位置にアンカー鋼棒とこれに係合するＯナット又はＯボルトとが埋設され、該Ｏナット又はＯボルトに螺合する外付けボルト又は外付けナットにより、アングル部材の縦辺が固定され、該アングル部材の横片に対し天板が載置され支持された構造（同文献の図５、図６等）、又は、（２）ＡＬＣ袖壁パネルの所定高さ位置に貫通穴が開けられ、該貫通穴を貫通する縫いボルトにより、アングル部材の縦辺が固定され、該アングル部材の横片に対し天板が載置され支持された構造（同文献の図７等）をとる。
【特許文献１】特開２００１−２６９７８号公報
【特許文献２】特開２００１−１５２７５４号公報
【発明の開示】
【発明が解決しようとする課題】
【０００５】
しかし、前記特許文献１又は２の出窓には、以下の問題があった。
（ａ）縫いボルトを用いる場合、ＡＬＣ袖壁パネルの所定高さ位置に貫通穴を開ける際に、その位置精度を高めるには手間がかかる。また、一旦開けた貫通穴の位置を変更することはできない。貫通穴の位置精度が悪いと、天板の取付位置精度が悪くなるから、天板とサッシ枠の下枠部とが干渉したりそれらの間に隙間ができたりするおそれがある。
【０００６】
（ｂ）さらに、縫いボルトでは、１）サッシ枠への風荷重により天板を介してＡＬＣ袖壁パネルの取付部にかかる袖壁面方向への剪断荷重、及び、２）天板の載荷重によりＡＬＣ袖壁パネルの取付部にかかる鉛直方向への剪断荷重、のそれぞれに対する強度を確保することが難しい。
【０００７】
（ｃ）また、縫いボルトとＡＬＣ袖壁パネルの貫通孔との隙間により、天板にがたつきが発生するおそれがある。天板の取付部にがたつきが発生すると、サッシ枠に変形を生じさせる可能性もある。
【０００８】
（ｄ）アンカー鋼棒に係合するＯナット又はＯボルトを用いる場合も、施行現場でＡＬＣ袖壁パネルの所定高さ位置にアンカー鋼棒を埋設するための貫通穴を開けるため、上記（ａ）（ｃ）の問題が発生する。また、Ｏナット又はＯボルトがアンカー鋼棒に係合していても、上記（ｂ）の剪断荷重に対する強度確保は難しい。
【０００９】
そこで、本発明の課題は、ＡＬＣ袖壁パネルに埋設された補強鉄筋に緊結された埋設アンカーを用いて天板を取り付けることで、剪断荷重に対する強度の確保と天板のがたつきの防止とを図ることができるだけでなく、埋設位置の精度が低く変更することもできない埋設アンカーを用いながらも、該埋設アンカーと天板との間に位置調整機能を持たせることで、容易に天板の取付位置精度を高めることができる出窓を提供することにある。
【課題を解決するための手段】
【００１０】
（１）出窓
パネル幅方向を室内外方向にして建て込まれ袖壁を構成するＡＬＣ袖壁パネル（１）と、前記ＡＬＣ袖壁パネル（１）に取り付けられた天板（２０）と、前記ＡＬＣ袖壁パネル（１）と前記天板（２０）とで構成される出窓空間の室外側端部に設けられたサッシ枠（３０）とを含む出窓において、
前記ＡＬＣ袖壁パネル（１）に埋設された補強鉄筋（４）に緊結された埋設アンカー（８）に、溶接プレート部（１６）とその裏面から突出する埋め込み螺合部（１７）とからなる溶接ベース金物（１５）の該埋め込み螺合部（１７）が螺合して、該溶接プレート部（１６）が前記ＡＬＣ袖壁パネル（１）の出窓空間に面する側の第一パネル壁面（２）に添っており、
前記溶接プレート部（１６）に、前記天板（２０）の側端部を支持するための取付金具（２５）が位置調整されて溶接固定されていることを特徴とする出窓。
【００１１】
（２）出窓の構築方法
ＡＬＣ袖壁パネル（１）をそのパネル幅方向を室内外方向にして建て込み、
前記ＡＬＣ袖壁パネル（１）に埋設された補強鉄筋（４）に緊結された埋設アンカー（８）に、溶接プレート部（１６）とその裏面から突出する埋め込み螺合部（１７）とからなる溶接ベース金物（１５）の該埋め込み螺合部（１７）を螺合して、該溶接プレート部（１６）をＡＬＣ袖壁パネル（１）の出窓空間に面する側の第一パネル壁面（２）に添わせ、
前記溶接プレート部（１６）の適切位置に、天板（２０）の側端部を支持するための取付金具（２５）を位置調整して溶接固定し、
前記ＡＬＣ袖壁パネル（１）と前記天板（２０）とで構成される出窓空間の室外側端部にサッシ枠（３０）を設けることを特徴とする出窓の構築方法。
【００１２】
ここで、各要素の態様を例示する。
［埋設アンカー］
埋設アンカー（８）は、補強鉄筋（４）に緊結される台座部（９）と、溶接ベース金物（１５）の埋め込み螺合部（１７）と螺合する螺合部（１０）とを備えていればよく、それ以上は特に限定されない。
【００１３】
台座部（９）は、１本の補強鉄筋（４）に緊結されたものでもよいが、２本以上の補強鉄筋（４）に緊結されたものが耐力性の点で好ましい。また、台座部（９）の、ＡＬＣ袖壁パネル（１）の出窓空間とは反対側の第二パネル壁面（３）からのかぶり（深さ）寸法が５ｍｍ以上であることが好ましい。これは、台座部（９）の、ＡＬＣ袖壁パネル（１）の出窓空間とは反対側の第二パネル壁面（３）からのかぶり（深さ）寸法が５ｍｍ未満であると埋設アンカー（８）に加わる剪断荷重に対する強度を確保することが難しいからである。
【００１４】
螺合部（１７）は、雌ねじでも、雄ねじでもよい。
【００１５】
［溶接ベース金物］
溶接ベース金物（１５）の溶接プレート部（１６）の形状としては、特に限定されないが、円板、四角板等を例示できる。溶接プレート部（１６）の寸法については、縦寸法は、これに溶接する前記取付金具（後述する実施例では鋼材２５）の縦寸法よりも２０ｍｍ以上大きいことが好ましい。これは、当該縦寸法を前記取付金具（２５）より大きくすることにより、前述したＡＬＣ袖壁パネル（１）の取付部にかかる鉛直方向への剪断荷重による出窓空間に面する側の第一パネル壁面（２）に加わる面外方向の反力を小さく抑えることができ、ＡＬＣ袖壁パネル（１）への溶接プレート部（１６）のめり込みを小さく抑えることができるためである。なお、溶接プレート部（１６）の横寸法は、取り付け作業性から、縦寸法と略同一であることが好ましい。また、溶接プレート部（１６）の厚さは、６〜１２ｍｍが好ましい。これは、前記取付金具（２５）を溶接しても有害な歪が発生しにくい厚さとして、６ｍｍ以上が好ましく、さらにこれを１２ｍｍ超の厚さにしても、取付上の強度の向上は望めず、不経済になるためである。
【００１６】
溶接ベース金物（１５）の埋め込み螺合部（１７）は、雄ねじでも雌ねじでもよく、埋設アンカー（８）が雌ねじのときは埋め込み螺合部（１７）を雄ねじとし、埋設アンカー（８）が雄ねじのときは埋め込み螺合部（１７）を雌ねじとする。
【００１７】
溶接プレート部（１６）と埋め込み螺合部（１７）とは、一体形成されたものでもよいし、別体形成されたものが結合してなるものでもよい。
【００１８】
［ＡＬＣ袖壁パネルの座掘部］
ＡＬＣ袖壁パネル（１）の出窓空間に面する側の第一パネル壁面（２）に設けられた座掘部（１８）に溶接プレート部（１６）が収納されて、溶接プレート部（１６）の溶接面とＡＬＣ袖壁パネル（１）の出窓空間に面する側の第一パネル壁面（２）の一般部とが略同一面となっていることが好ましい。
【００１９】
［天板の取付金具］
天板（２０）の側端部を支持するための取付金具（２５）は、１種の金具よりなるものでもよいし、２種以上の金具の組み合わせよりなるもの（後述する実施例のパネル係止部材２１及び鋼材２５を例示する）でもよい。
【００２０】
［腰壁］
出窓は、天板（２０）の室内側端部の下方に上下又は左右に並設され腰壁（５０、６０、７０、８０、９０）を構成する複数の腰壁パネル（４０、４１）をも含むものでもよい。
【００２１】
［腰壁パネルの上部固定金具］
腰壁パネル（４１）の上端を天板（２０）に固定する上部固定金具（５１、６１、７１）は、直に又は連結部材（５６、７６）を介して取付金具（２５）に溶接固定され、取付部材（５５、６５、７５）を介して腰壁パネル（４１）の上部埋設アンカー（４２）に係止されている。上部固定金具には、定規アングル（５１、６１、７１）が用いられている。定規アングル（５１、６１、７１）は、両片の幅が等しいものだけでなく不等なものであってもよく、一片が腰壁パネル（４１）の短辺小口面と天板（２０）の下面との間に位置していてもよいし、天板（２０）の上面に当接していてもよい。また、上部固定金具（５１）に連結部材（５６）が止着されている上部固定金具（５１）の面は、天板（２０）に接しうる面だけでなくその裏面にあたる天板（２０）に接しえない面であってもよい。
【００２２】
［取付部材］
取付部材は、稲妻状に折曲形成されたイナズマプレート（６５、７５）であってもよいし、平板状の平プレート（５５）であってもよい。
【００２３】
［腰壁パネルの下部固定金具］
腰壁パネル（４１）の下端を床面（１３）に固定する下部固定金具（４６）は、一片が腰壁パネル（４１）の短辺小口面と床面（１３）とに挟持され、他片がイナズマプレート（４９）を介して腰壁パネル（４１）の下部埋設アンカー（４３）に係止されている。
【００２４】
［腰壁パネルの側部固定金具］
腰壁パネル（４０）の側端をＡＬＣ袖壁パネル（１）に固定する側部固定金具（８１、９１）は、一片が腰壁パネル（４０）の短辺小口面とＡＬＣ袖壁パネル（１）の出窓空間に面する側の第一パネル壁面（２）との間に位置し、他片が腰壁パネル（４０）の室内側壁面又はＡＬＣ袖壁パネル（１）の長辺小口面に当接し、上端が前記取付金具（２５）に溶接固定され、イナズマプレート（８５、９５）を介して該腰壁パネル（４０）の側部埋設アンカー（４５）に係止されている。
【発明の効果】
【００２５】
本発明の出窓又はその構築方法によれば、ＡＬＣ袖壁パネルに埋設された補強鉄筋に緊結された埋設アンカーを用いて天板を取り付けることで、剪断荷重に対する強度の確保と天板のがたつきの防止とを図ることができるだけでなく、埋設位置の精度が低く変更することもできない埋設アンカーを用いながらも、該埋設アンカーと天板との間に位置調整機能を持たせることで、容易に天板の取付位置精度を高めることができる。
【発明を実施するための最良の形態】
【００２６】
出窓は、パネル幅方向を室内外方向にして建て込まれ袖壁を構成するＡＬＣ袖壁パネル（１）と、ＡＬＣ袖壁パネル（１）に取り付けられた天板（２０）と、ＡＬＣ袖壁パネル（１）と天板（２０）とで構成される出窓空間の室外側端部に設けられたサッシ枠（３０）とを含む。
ＡＬＣ袖壁パネル（１）に埋設された補強鉄筋（４）に緊結された埋設アンカー（８）に、溶接プレート部（１６）とその裏面から突出する埋め込み螺合部（１７）とからなる溶接ベース金物（１５）の該埋め込み螺合部（１７）が螺合して、該溶接プレート部（１６）がＡＬＣ袖壁パネル（１）の出窓空間に面する側の第一パネル壁面（２）に添っており、溶接プレート部（１６）に、天板（２０）の側端部を支持するための取付金具（２５）が位置調整されて溶接固定されている。
【００２７】
この出窓を構築するには、ＡＬＣ袖壁パネル（１）をそのパネル幅方向を室内外方向にして建て込み、ＡＬＣ袖壁パネル（１）に埋設された補強鉄筋（４）に緊結された埋設アンカー（８）に、溶接プレート部（１６）とその裏面から突出する埋め込み螺合部（１７）とからなる溶接ベース金物（１５）の該埋め込み螺合部（１７）を螺合して、該溶接プレート部（１６）をＡＬＣ袖壁パネル（１）の出窓空間に面する側の第一パネル壁面（２）に添わせ、溶接プレート部（１６）の適切位置に、天板（２０）の側端部を支持するための取付金具（２５）を位置調整して溶接固定し、ＡＬＣ袖壁パネル（１）と天板（２０）とで構成される出窓空間の室外側端部にサッシ枠（３０）を設ける。
【実施例１】
【００２８】
図１〜図３に略構築後を示し、図４〜図７に構築方法を示すとおり、実施例の出窓は、パネル幅方向を室内外方向にして建て込まれ袖壁を構成する左右両方のＡＬＣ袖壁パネル１と、ＡＬＣ袖壁パネル１の例えば腰ないし胸の高さに対応する所定高さ位置に取り付けられた天板２０と、前記ＡＬＣ袖壁パネルと前記天板とで構成される出窓空間の室外側端部に設けられたサッシ枠３０とを含んで構成されるものである。なお、本例のように左右両方のＡＬＣ袖壁パネル１の間に形成される出窓のほかにも、左右で一方のＡＬＣ袖壁パネル１と他方の柱（図示略）との間に形成される出窓においても本発明を実施すること、すなわちそのＡＬＣ袖壁パネル１に対する天板２０の一方端部の取付構造を実施することができる。
【００２９】
ＡＬＣ袖壁パネル１は出窓空間に面する側の第一パネル壁面２と出窓空間とは反対側の第二パネル壁面３とが縦長の長方形をなす一般的なものであり、ＡＬＣ袖壁パネル１には補強鉄筋４と該補強鉄筋４に緊結された埋設アンカー８とが埋設されている。補強鉄筋４は、長手方向に延びる主筋５と幅方向に延びる副筋６とを縦横に溶接してなる二枚の枠体を所定間隔をおいて並べ、両枠体にスペーサ７を架け渡して溶接することによりかご状に形成されたものである。
【００３０】
埋設アンカー８は、特に限定されず、例えば特開平１０−７２８７２号公報及び特開平１２−５４５０８号公報に記載された、補強鉄筋に緊結されるいずれの埋設アンカー（インサート金具）も使用することができる。
・図４等に例示した埋設アンカー８は、１本の副筋６に溶接にて緊結された台座部９と、台座部９に溶接固定されたナットによる螺合部１０とからなるものである。
・図５（ａ）に例示した埋設アンカー８は、２本の主筋５に溶接にて緊結された台座部９と、台座部９に溶接固定されたナットによる螺合部１０とからなるものである。
・図５（ｂ）に例示した埋設アンカー８は、４本の主筋５に溶接にて緊結された台座部９と、台座部９に溶接固定されたナットによる螺合部１０とからなるものである。
但し、前記のとおり、２本以上の補強鉄筋４に緊結されたものが耐力性の点で好ましい。また、ＡＬＣ袖壁パネル１の出窓空間とは反対側の第二パネル壁面３から台座部９までのＡＬＣのかぶり（深さ）寸法は５ｍｍ以上である。
【００３１】
ＡＬＣ袖壁パネル１は、その上下端部に埋設された前記埋設アンカー８に固定具１１（例えばボルト）で固定されたパネル係止部材１２（例えば稲妻状に折曲形成されたイナズマプレート）が、建物躯体１３に固定された鋼材１４（例えばアングル材）に係止することによって、該建物躯体１３に取付固定されている。
【００３２】
さて、この出窓において、天板２０の取り付けには、ＡＬＣ袖壁パネル１の所定高さ位置に埋設された前記埋設アンカー８と、溶接プレート部１６とその裏面から突出する埋め込み螺合部１７とからなる溶接ベース金物１５と、天板２０の側端部を支持するための取付金具２５とが用いられている。
【００３３】
溶接ベース金物１５は、直径１２０ｍｍ・厚さ６ｍｍの円板よりなる溶接プレート部１６と、雄ねじよりなる埋め込み螺合部１７とが一体形成されたものである。図４（ｃ）のように溶接プレート部１６と埋め込み螺合部１７とが別体形成されて結合されたものでもよい。そして、埋設アンカー８の螺合部１０に溶接ベース金物１５の埋め込み螺合部１７が螺合して、溶接プレート部１６がＡＬＣ袖壁パネル１の出窓空間に面する側の第一パネル壁面２に添っている。また、単に添うのではなく、図３（ｃ）に示すように、ＡＬＣ袖壁パネル１の出窓空間に面する側の第一パネル壁面２に設けられた座掘部１８に溶接プレート部１６が収納されて添い、溶接プレート部１６の溶接面と出窓空間に面する側の第一パネル壁面２の一般部とが略同一面となっている態様でもよい。
【００３４】
天板２０の取付金具は、本例では、天板２０の短辺端付近の上面に取り付けられたパネル係止部材２１（例えばイナズマプレート）と、溶接プレート部１６に溶接固定される鋼材２５（例えばアングル材）とからなる。
【００３５】
パネル係止部材２１は、これに上方から通したセットボルト２３を、天板２０に埋設された埋設アンカー２４（これも補強鉄筋に緊結されていることが好ましい）に螺合することにより天板２０に取り付けられ、天板２０からイナズマ状に浮いて開口を作る係止部２２を天板２０の短辺小口側に向けている。
【００３６】
鋼材２５は例えば６５ｍｍ×６５ｍｍのアングル材であり、横片２６を上側で水平にして、縦片２７の中央部が溶接ベース金物１５の溶接プレート部１６の溶接面の適切位置に位置調整のうえあてがわれ、該溶接面に溶接固定されている。さらに本例では、前記溶接固定後の鋼材２５の先端部２５ａが後述するサッシ固定用鋼材３１、３２に溶接され、鋼材２５の後端部２５ｂがＡＬＣ袖壁パネル１の後縁を補強する袖壁縦補強アングル材３３に溶接されている。
【００３７】
そして、パネル係止部材２１の係止部２２が鋼材２５の横片２６の上側に係止することにより、天板２０がパネル係止部材２１、鋼材２５、溶接ベース金物１５及び埋設アンカー８を介して、ＡＬＣ袖壁パネル１の所定高さ位置に取り付けられている。
【００３８】
次に、サッシ枠３０は、ＡＬＣ袖壁パネル１と天板２０とで構成される出窓空間の室外側端部に設けられている。具体的には、ＡＬＣ袖壁パネル１の出窓空間に面する側の第一パネル壁面２の室外側端部には縦長プレート状のサッシ固定用鋼材３１が取り付けられ、天板２０の上面及び上方の建物躯体１３の下面の各室外側端部には横長プレート状のサッシ固定用鋼材３２が取り付けられ、これらのサッシ固定用鋼材３１、３２の内側にサッシ枠３０が取り付けられている。
【００３９】
上記構成の出窓は、例えば次のような工程を含む構築方法により構築される。
（１）ＡＬＣ袖壁パネル１をそのパネル幅方向を室内外方向にして建て込み、前記のとおりパネル係止部材１２、鋼材１４等により建物躯体１３に取付固定する。
（２）図４に示すように、ＡＬＣ袖壁パネル１の所定高さ位置に埋設された補強鉄筋４に緊結された埋設アンカー８の螺合部１０に、溶接ベース金物１５の埋め込み螺合部１７を螺合させて、溶接プレート部１６をＡＬＣ袖壁パネル１の出窓空間に面する側の第一パネル壁面２に添わせる。
（３）図６に示すように、溶接プレート部１６の溶接面の適切位置に、鋼材２５の縦片２７の中央部を位置調整のうえあてがい、該溶接面に溶接固定する。２８は溶接部であり、図示例では縦片２７の下縁と横片２６の前縁を溶接面に溶接している。このとき、溶接プレート部１６の縦寸法の範囲で鋼材２５の高さ方向の位置調整ができ、鋼材２５の前後方向の位置調整は自在にできる。さらに本例では、前記溶接固定後の鋼材２５の先端部をサッシ固定用鋼材３１、３２に溶接し、鋼材２５の後端部を袖壁縦補強アングル材３３に溶接する。
（４）図７に示すように、天板２０の側端上部を鋼材２５の横片２６の下側にあてがい、前記のとおりセットボルト２３をパネル係止部材２１を通して埋設アンカー２４に螺合し、係止部２２を横片２６の上側に係止させて天板２０を支持する。
（５）ＡＬＣ袖壁パネル１と天板２０とで構成される出窓空間の室外側端部に、前記のとおりサッシ枠３０を設ける。
【００４０】
上記（３）と（４）とはその順序を問わない。例えば、上記（３）（４）の順に行ってもよいし、（３）の後に、予め天板２０に取り付けたパネル係止部材２１を（４）のように係止部２２を横片２６に係止させてもよいし、予め天板２０に取り付けたパネル係止部材２１を（４）のように係止部２２を横片２６に係止させた状態で、（３）のように縦片２７を溶接プレート部１６に溶接固定してもよい。
【００４１】
以上の本実施例によれば、次の効果が得られる。
（ａ）ＡＬＣ袖壁パネル１に埋設された補強鉄筋４に緊結された埋設アンカー８を用いて天板２０を取り付けることで、前記剪断荷重に対する強度の確保と天板のがたつきの防止とを図ることができる。
（ｂ）埋設位置の精度が低く変更することもできない埋設アンカー８を用いながらも、該埋設アンカー８と天板２０との間に溶接ベース金物１５と鋼材２５とのあてがい位置調整による位置調整機能を持たせることで、容易に天板２０の取付位置精度を高めることができる。よって、天板２０とサッシ枠３０の下枠部とが干渉したりそれらの間に隙間ができたりするおそれはない。
【実施例２】
【００４２】
本実施例において、以下に詳述する腰壁を除き、出窓のその他の態様は実施例１のものと同じである。図８〜図１３に示すように、天板２０の室内側端部の下方に構成される腰壁５０、６０、７０は、隣接する腰壁パネル４１の長辺小口面が互いに当接するように三枚の腰壁パネル４１が左右に並設されている。
【００４３】
図８、図９に示すように、態様１の腰壁５０は、左右に並設された三枚の腰壁パネル４１と腰壁パネル４１の上端を天板２０に固定する上部固定金具５１と腰壁パネル４１の下端を床面１３に固定する下部固定金具４６とからなっている。
【００４４】
上部固定金具５１には、一片５３が腰壁パネル４１の短辺小口面と天板２０の下面との間に位置し、二片の幅が等しい定規アングル５１が用いられている。定規アングル５１を固定するため、腰壁パネル４１の短辺小口面と天板２０の下面との間に位置せず、定規アングル５１の天板２０の長辺小口面に添っている方の片５４の天板２０と接しうる面の両端には、長手方向中央部でほぼ直角に屈曲し、鋼材２５の横片２６の後端側２５ｂの短辺に一端が溶接されているアングルピース５６が溶接固定されている。なお、本態様では、アングルピース５６は定規アングル５１の片５４の天板２０と接しうる面に溶接固定されているが、その裏面にあたる天板２０と接しえない面に溶接固定されていてもよい。定規アングル５１に平プレート５５を介して腰壁パネル４１を係止するため、平プレート５５の基端は、定規アングル５１の腰壁パネル４１の短辺小口面と天板２０の下面との間に位置しない方の片５４の天板２０と接しえない面に各腰壁パネル４１の壁面の横方向ほぼ中央に位置するよう溶接固定されている。平プレート５５の先端は、腰壁パネル４１の上端部に埋設された上部埋設アンカー４２と螺合する固定ボルト４４によって腰壁パネル４１に固定されている。
【００４５】
下部固定金具４６には、床面１３に固定され、一片４７が腰壁パネル４１の短辺小口面と床面１３とに挟持され、二片の幅が等しい定規アングル４６が用いられている。定規アングル４６にイナズマプレート４９を介して腰壁パネル４１を係止するため、イナズマプレート４９の基端は、定規アングル４６の床面１３等に挟持されていない方の片４８の腰壁パネル４１と接しえない面に各腰壁パネル４１の壁面の横方向ほぼ中央に位置するよう溶接固定されている。イナズマプレート４９の先端は、腰壁パネル４１の下端部に埋設された下部埋設アンカー４３と螺合する固定ボルト４４によって腰壁パネル４１に固定されている。
【００４６】
図１０、図１１に示すように、態様２の腰壁６０も、左右に並設された三枚の腰壁パネル４１と腰壁パネル４１の上端を天板に固定する上部固定金具６１と腰壁パネル４１の下端を床面１３に固定する下部固定金具４６とからなっており、下部固定金具４６の態様は前記態様１の腰壁５０のものと同じである。
【００４７】
上部固定金具６１には、一片６３が天板２０の上面に当接し、該片６３の幅が他片６４の幅より狭く二片の幅が不等な定規アングル６１が用いられている。定規アングル６１を固定するため、定規アングル６１の幅が狭い方の片６３の両端は、鋼材２５の横片２６の後端側２５ｂの短辺に溶接されている。定規アングル６１にイナズマプレート６５を介して腰壁パネル４１を係止するため、イナズマプレート６５の基端は、天板２０の長辺小口面に添い、定規アングル６１の幅広の方の片６４の天板２０と接しえない面に各腰壁パネル４１の壁面の横方向ほぼ中央に位置するよう溶接固定されている。イナズマプレート６５の先端は、腰壁パネル４１の上端部に埋設された上部埋設アンカー４２と螺合する固定ボルト４４によって腰壁パネル４１に固定されている。
【００４８】
図１２、図１３に示すように、態様３の腰壁７０も、左右に並設された三枚の腰壁パネル４１と腰壁パネル４１の上端を天板に固定する上部固定金具７１と腰壁パネル４１の下端を床面１３に固定する下部固定金具４６とからなっており、下部固定金具４６の態様は前記態様１の腰壁５０のものと同じである。
【００４９】
上部固定金具７１には、一片７３が腰壁パネル４１の短辺小口面と天板２０の下面との間に位置し、二片の幅が等しい定規アングル７１が用いられている。定規アングル７１を固定するため、腰壁パネル４１の短辺小口面と天板２０の下面との間に位置せず、定規アングル７１の腰壁パネル４１の壁面に添っている方の片７４の腰壁パネル４１の壁面に接しえない面の両端には、長手方向中央部でほぼ直角に屈曲し、鋼材２５の横片２６の後端側２５ｂの短辺に一端が溶接されているアングルピース７６が溶接固定されている。定規アングル７１にイナズマプレート７５を介して腰壁パネル４１を係止するため、イナズマプレート７５の基端は、定規アングル７１の腰壁パネル４１の短辺小口面と天板２０の下面との間に位置しない方の片７４の腰壁パネル４１の壁面に接しえない面に各腰壁パネル４１の壁面の横方向ほぼ中央に位置するよう溶接固定されている。イナズマプレート７５の先端は、腰壁パネル４１の上端部に埋設された上部埋設アンカー４２と螺合する固定ボルト４４によって腰壁パネル４１に固定されている。
【００５０】
腰壁パネル４１は、上部固定金具５１、６１、７１及び下部固定金具４６により係止されることで建築躯体１３に固定されることになる。
【００５１】
以上の本実施例によれば、実施例１で得られる効果だけでなく、さらに次の効果も得られる。
（ａ）天板２０にて腰壁パネル４１を支持することにより、補強鋼材の使用量を減らすことができる。
（ｂ）ＡＬＣ袖壁パネル１の補強鉄筋４に緊結されている埋設アンカー８の剪断耐力により、腰壁パネル４１に加わる風荷重を建物躯体１３へ確実に伝えることができる。
【実施例３】
【００５２】
本実施例においても、以下に詳述する腰壁を除き、出窓のその他の態様は実施例１のものと同じである。図１４〜図１７に示すように、天板２０の室内側端部の下方に構成される腰壁８０、９０は、隣接する腰壁パネル４０の長辺小口面が互いに当接するように二枚の腰壁パネル４０が上下に並設されている。
【００５３】
図１４、図１５に示すように、態様４の腰壁８０は、上下に並設された二枚の腰壁パネル４０と腰壁パネル４０の左右の両側端をＡＬＣ袖壁パネル１に固定する側部固定金具８１とからなっている。
【００５４】
側部固定金具８１には、一片８３が腰壁パネル４０の短辺小口面とＡＬＣ袖壁パネル１の出窓空間に面する側の第一パネル壁面２との間に位置し、他片８４が腰壁パネル４０の室内側壁面に当接し、二片の幅が等しい定規アングル８１が用いられている。定規アングル８１の上端は、腰壁パネル４０の室内側壁面に当接している片８４の方が腰壁パネル４０の短辺小口面とＡＬＣ袖壁パネル１の出窓空間に面する側の第一パネル壁面２との間に位置する片８３よりも鋼材２５との干渉を防止するため短くなっている。定規アングル８１を固定するため、定規アングル８１の上端は鋼材２５の後端側２５ｂに溶接固定され、定規アングル８１の下端はＡＬＣ袖壁パネル１の下端を床に固定する鋼材１４に溶接固定されている。定規アングル８１にイナズマプレート８５を介して腰壁パネル４０を係止するため、イナズマプレート８５の基端は、定規アングル８１の腰壁パネル４０の室内側壁面に当接している方の片８４の腰壁パネル４０の室内側壁面に接しえない面に各腰壁パネル４０の壁面の縦方向ほぼ中央に位置するよう溶接固定されている。イナズマプレート８５の先端は、腰壁パネル４０の側端部に埋設された側端埋設アンカー４５と螺合する固定ボルト４４によって腰壁パネル４０に固定されている。
【００５５】
図１６、図１７に示すように、態様５の腰壁９０は、上下に並設された二枚の腰壁パネル４０と腰壁パネル４０の左右の両側端をＡＬＣ袖壁パネル１に固定する側部固定金具９１とからなっている。
【００５６】
左右の側部固定金具９１には、一片９３が腰壁パネル４０の短辺小口面とＡＬＣ袖壁パネル１の出窓空間に面する側の第一パネル壁面２との間に位置し、他片９４がＡＬＣ袖壁パネル１の長辺小口面に当接し、二片の幅が等しい定規アングル９１が用いられている。定規アングル９１を固定するため、定規アングル９１の上端は鋼材２５の後端側２５ｂに溶接固定され、定規アングル９１の下端はＡＬＣ袖壁パネル１の下端を床に固定する鋼材１４に溶接固定されている。定規アングル９１にイナズマプレート９５を介して腰壁パネル４０を係止するため、イナズマプレート９５の基端は、定規アングル９１のＡＬＣ袖壁パネル１の長辺小口面に当接している方の片９４のＡＬＣ袖壁パネル１の長辺小口面に接しえない面に各腰壁パネル４０の壁面の縦方向ほぼ中央に位置するよう溶接固定されている。イナズマプレート９５の先端は、腰壁パネル４０の側端部に埋設された側端埋設アンカー４５と螺合する固定ボルト４４によって腰壁パネル４０に固定されている。
【００５７】
腰壁パネル４０は、側部固定金具８１、９１により係止されることで建築躯体１３に固定されることになる。
【００５８】
以上の本実施例によれば、実施例１で得られる効果だけでなく、さらに次の効果も得られる。
（ａ）ＡＬＣ袖壁パネル１にて腰壁パネル４０を支持することにより、補強鋼材の使用量を減らすことができる。
（ｂ）ＡＬＣ袖壁パネル１の補強鉄筋４に緊結されている埋設アンカー８の剪断耐力により、腰壁パネル４０に加わる風荷重を建物躯体１３へ確実に伝えることができる。
【００５９】
なお、本発明は前記実施例に限定されるものではなく、発明の趣旨から逸脱しない範囲で適宜変更して具体化することもできる。
【図面の簡単な説明】
【００６０】
【図１】本発明に係る実施例１の出窓の外観を示す斜視図である。
【図２】同出窓の各部の取付構造を示す斜視図である。
【図３】同出窓の各部の取付構造を示す断面図である。
【図４】同出窓の埋設アンカーと溶接ベース金物とその取付方法を示す斜視図である。
【図５】同埋設アンカーの別例を示す斜視図である。
【図６】同溶接ベース金物に対する鋼材の取付方法を示す斜視図である。
【図７】同鋼材に対する天板の取付方法を示す斜視図である。
【図８】本発明に係る実施例２の出窓の態様１の腰壁の取付構造を示す斜視図である。
【図９】同腰壁の垂直方向の断面図である。
【図１０】同出窓の態様２の腰壁の取付構造を示す斜視図である。
【図１１】同腰壁の垂直方向の断面図である。
【図１２】同出窓の態様３の腰壁の取付構造を示す斜視図である。
【図１３】同腰壁の垂直方向の断面図である。
【図１４】本発明に係る実施例３の出窓の態様４の腰壁の取付構造を示す斜視図である。
【図１５】同腰壁の水平方向の断面図である。
【図１６】同出窓の態様５の腰壁の取付構造を示す斜視図である。
【図１７】同腰壁の水平方向の断面図である。
【符号の説明】
【００６１】
１    ＡＬＣ袖壁パネル
２    第一パネル壁面
３    第二パネル壁面
４    補強鉄筋
８    埋設アンカー
９    台座部
１０    螺合部
１２    パネル係止部材
１３    建物躯体
１４    鋼材
１５    溶接ベース金物
１６    溶接プレート部
１７    埋め込み螺合部
１８    座掘部
２０    天板
２１    パネル係止部材
２５    鋼材
２６    横片
２７    縦片
３０    サッシ枠
４０    腰壁パネル（横壁用）
４１    腰壁パネル（縦壁用）
４２    上部埋設アンカー（腰壁パネル）
４３    下部埋設アンカー（腰壁パネル）
４５    側部埋設アンカー（腰壁パネル）
４６    下部固定金具（定規アングル）
４９    イナズマプレート（下部固定金具用）
５０    腰壁（態様１）
５１    上部固定金具（定規アングル）
５５    平プレート
５６    アングルピース
６０    腰壁（態様２）
６１    上部固定金具（定規アングル）
６５    イナズマプレート
７０    腰壁（態様３）
７１    上部固定金具（定規アングル）
７５    イナズマプレート
７６    アングルピース
８０    腰壁（態様４）
８１    側部固定金具（定規アングル）
８５    イナズマプレート
９０    腰壁（態様５）
９１    側部固定金具（定規アングル）
９５    イナズマプレート
【図１】
2007247380.tif 000003
【図２】
2007247380.tif 000004
【図３】
2007247380.tif 000005
【図４】
2007247380.tif 000006
【図５】
2007247380.tif 000007
【図６】
2007247380.tif 000008
【図７】
2007247380.tif 000009
【図８】
2007247380.tif 000010
【図９】
2007247380.tif 000011
【図１０】
2007247380.tif 000012
【図１１】
2007247380.tif 000013
【図１２】
2007247380.tif 000014
【図１３】
2007247380.tif 000015
【図１４】
2007247380.tif 000016
【図１５】
2007247380.tif 000017
【図１６】
2007247380.tif 000018
【図１７】
2007247380.tif 000019